(57)【要約】      （修正有）【課題】ポリカーボネート樹脂（Ａ）１００重量部、特定の流動性向上剤（Ｂ）２〜１２重量部、酸化チタン（Ｃ）５〜２５重量部、特定のシリコーン化合物（Ｄ）０．０１〜３重量部、有機金属塩化合物（Ｅ）０．０１〜０．３重量部および繊維形成型の含フッ素ポリマー（Ｆ）０．０５〜５重量部からなる樹脂組成物、およびそれからなる成形品の提供。【解決手段】流動性の改良された光反射性難燃ポリカーボネート樹脂組成物は、ハロゲンやリンなどを含有する従来の難燃剤を使用することなく優れた難燃性を有している。このため、環境面からも優れている。さらに、衝撃強度、耐熱性および光反射性に優れ、かつ流動性が顕著に改善されているため、光反射性能が必要な種々の大型若しくは薄肉成形品として利用できる。【選択図】なし【特許請求の範囲】
【請求項１】
ポリカーボネート樹脂（Ａ）１００重量部、流動性向上剤（Ｂ）２〜１２重量部、酸化チタン（Ｃ）５〜２５重量部、主鎖が分岐構造でかつ含有する有機官能基が芳香族基からなるか、または芳香族基と炭化水素基（芳香族基を除く）とからなるシリコーン化合物（Ｄ）０．０１〜３重量部、有機金属塩化合物（Ｅ）０．０１〜０．３重量部および繊維形成型の含フッ素ポリマー（Ｆ）０．０５〜５重量部からなる樹脂組成物であって、当該流動性向上剤（Ｂ）が芳香族ビニル系単量体とフェニルメタクリレートとの共重合体であることを特徴とする流動性の改良された光反射性難燃ポリカーボネート樹脂組成物。
【請求項２】
流動性向上剤（Ｂ）が、スチレン／フェニルメタクリレート共重合体またはスチレン／αメチルスチレン／フェニルメタクリレート共重合体である請求項１に記載の流動性の改良された光反射性難燃ポリカーボネート樹脂組成物。
【請求項３】
流動性向上剤（Ｂ）の配合量が、ポリカーボネート樹脂（Ａ）１００重量部あたり３〜１０重量部であることを特徴とする請求項１記載の流動性の改良された光反射性難燃ポリカーボネート樹脂組成物。
【請求項４】
請求項１〜３のいずれか一項に記載の流動性の改良された光反射性難燃ポリカーボネート樹脂組成物から成形されてなる成形品。
【発明の詳細な説明】
【技術分野】
【０００１】
本発明は、流動性の改良された光反射性難燃ポリカーボネート樹脂組成物ならびにそれから成形されてなる成形品に関する。更に詳しくは、ポリカーボネート樹脂の特徴である耐衝撃性、耐熱性、熱安定性等を保持したまま、流動性、光反射性および難燃性を向上させた光反射性難燃ポリカーボネート樹脂組成物およびその成形品を提供するものである。
【背景技術】
【０００２】
ポリカーボネート樹脂は、耐衝撃性、耐熱性、難燃性等に優れた熱可塑性樹脂であり、電気、電子、ＩＴＥ、機械、自動車などの分野で広く用いられている。一方、当該樹脂が有するこれらの優れた性能に加えて、前述の各分野では、意匠面やデザイン上の要求を満たすため、高度な流動性（成形性）を具備した材料が求められている。特に近年では、製品の軽量化の傾向が著しく、ポリカーボネート樹脂に対する流動性改善の要求はますます顕著化しているのがその実態である。
【０００３】
一方、当該ポリカーボネート樹脂組成物の流動性を改善させる手法として、過去より様々な技術が提案されてきたが、いずれも一長一短があり、必ずしも満足できる材料が提案されているわけではない。例えば、ポリカーボネート樹脂の分子量に着目して高い分子量のものと低い分子量のものを併用し、かつどちらかに分岐したポリカーボネート樹脂を用いる方法（特許文献１）、ポリカーボネート樹脂にＡＢＳ樹脂やＭＢＳ樹脂を配合する方法（特許文献２）あるいはポリカーボネート樹脂にＡＢＳ樹脂やリン酸エステルを配合する方法（特許文献３）などが提案されているが、これらの技術では、ポリカーボネート樹脂が持つ前述の優れた特徴の内いずれか１種以上が大きく損なわれてしまうといった問題を孕んでおり、従来からその改善が強く望まれてきた。
【０００４】
【特許文献１】特開２００１−２２６５７６号公報
【特許文献２】特開２０００−３１９４９７号公報
【特許文献３】特開２０００−１０３９５１号公報
【０００５】
また、ポリカーボネート樹脂に脂肪酸を配合することで流動性を改良する方法（特許文献４）が提案されているが、この場合、流動性は向上するものの、脂肪酸によるポリカーボネート樹脂の分解が起こり機械的強度の低下を招く等の根本的問題があった。
【０００６】
【特許文献４】特開昭６１−１６２５２０号公報
【０００７】
さらに、液晶表示装置の枠体等の光反射板の用途においては、耐衝撃性、耐熱性等の面からポリカーボネート樹脂が着目されており、ポリカーボネート樹脂に高い光反射性を付与するために、多量の酸化チタンを配合する方法が提案されている。また、酸化チタンの表面を処理することで所望とする光反射性を得ることが試みられている。
【０００８】
【特許文献５】特開２００５−３２０４５７号公報
【特許文献６】特開２００５−０１５６５５号公報
【特許文献７】特開２００３−１８３４９１号公報
【０００９】
これら、流動性等に加えて、電気・電子・ＯＡの分野では、パーソナルコンピュータ外装部品のように高度な難燃性（ＵＬ９４Ｖ）や耐衝撃性を要求される部品が少なくない。ポリカーボネート樹脂は、自己消火性を備えた難燃性の高いプラスチック材料ではあるが、電気・電子・ＯＡ分野では安全上の要求を満たすため、ＵＬ９４Ｖ−０やＶ−１相当の一層高い難燃性が求められている。そこでポリカーボネート樹脂の難燃性を向上するために、従来、難燃剤としてハロゲン系化合物やリン系化合物を配合する方法が採用されている。これらの中で特に臭素や塩素等のハロゲン系化合物については、環境面からこれらを含有しない難燃剤の使用が望まれている。
【００１０】
上記の従来技術ではポリカーボネート樹脂が本来有する優れた特徴である耐衝撃性、耐熱性等の性能のうち、一種もしくは二種以上を犠牲にして流動性や光反射性を改良するものであった。
【発明の開示】
【発明が解決しようとする課題】
【００１１】
本発明は、耐衝撃性や耐熱性を保持したまま流動性および光反射性を改良し、かつ、臭素や塩素等のハロゲン系化合物からなる難燃剤を使用せずに難燃性能を高めた光反射性難燃ポリカーボネート樹脂組成物を提供することを目的とする。
【課題を解決するための手段】
【００１２】
本発明者らは、かかる課題に鑑み鋭意研究を行った結果、ポリカーボネート樹脂に、特定の流動性向上剤、シリコーン化合物、有機金属塩化合物、繊維形成型の含フッ素ポリマーおよび酸化チタンを特定量配合することにより、ポリカーボネート樹脂が有する種々の優れた性能を損なうことなく、難燃性および光反射性が付与され、さらに流動性が顕著に改善されることを見出し、本発明を完成するに至った。
【００１３】
すなわち、本発明は、ポリカーボネート樹脂（Ａ）１００重量部、流動性向上剤（Ｂ）２〜１２重量部、酸化チタン（Ｃ）５〜２５重量部、主鎖が分岐構造でかつ含有する有機官能基が芳香族基からなるか、または芳香族基と炭化水素基（芳香族基を除く）とからなるシリコーン化合物（Ｄ）０．０１〜３重量部、有機金属塩化合物（Ｅ）０．０１〜０．３重量部および繊維形成型の含フッ素ポリマー（Ｆ）０．０５〜５重量部からなる樹脂組成物であって、当該流動性向上剤（Ｂ）が芳香族ビニル系単量体とフェニルメタクリレートとの共重合体であることを特徴とする流動性の改良された光反射性難燃ポリカーボネート樹脂組成物、およびそれからなる成形品を提供するものである。
【発明の効果】
【００１４】
本発明の流動性の改良された光反射性難燃性ポリカーボネート樹脂組成物は、ハロゲンやリンなどを含有する従来の難燃剤を使用することなく優れた難燃性を有している。このため、燃焼時に当該難燃剤に起因するハロゲンやリンを含むガスの発生の懸念もなく、環境面からも優れている。さらに、衝撃強度、耐熱性および光反射性に優れ、かつ流動性が顕著に改善されているため、光反射性能が必要な種々の大型若しくは薄肉成形品として利用できる。
【発明を実施するための最良の形態】
【００１５】
本発明にて使用されるポリカーボネート樹脂（Ａ）とは、種々のジヒドロキシジアリール化合物とホスゲンとを反応させるホスゲン法、またはジヒドロキシジアリール化合物とジフェニルカーボネートなどの炭酸エステルとを反応させるエステル交換法によって得られる重合体であり、代表的なものとしては、２,２−ビス（４−ヒドロキシフェニル）プロパン（通称ビスフェノールＡ）から製造されたポリカーボネート樹脂が挙げられる。
【００１６】
上記ジヒドロキシジアリール化合物としては、ビスフェノールＡの他に、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、ビス（４−ヒドロキシフェニル）フェニルメタン、２，２−ビス（４−ヒドロキシフェニル−３−メチルフェニル）プロパン、１，１−ビス（４−ヒドロキシ−３−第三ブチルフェニル）プロパン、２，２−ビス（４−ヒドロキシ−３−ブロモフェニル）プロパン、２，２−ビス（４−ヒドロキシ−３，５−ジブロモフェニル）プロパン、２，２−ビス（４−ヒドロキシ−３，５−ジクロロフェニル）プロパンのようなビス（ヒドロキシアリール）アルカン類、１，１−ビス（４−ヒドロキシフェニル）シクロペンタン、１，１−ビス（４−ヒドロキシフェニル）シクロヘキサンのようなビス（ヒドロキシアリール）シクロアルカン類、４，４′−ジヒドロキシジフェニルエーテル、４，４′−ジヒドロキシ−３，３′−ジメチルジフェニルエーテルのようなジヒドロキシジアリールエーテル類、４，４′−ジヒドロキシジフェニルスルフィドのようなジヒドロキシジアリールスルフィド類、４，４′−ジヒドロキシジフェニルスルホキシド、４，４′−ジヒドロキシ−３，３′−ジメチルジフェニルスルホキシドのようなジヒドロキシジアリールスルホキシド類、４，４′−ジヒドロキシジフェニルスルホン、４，４′−ジヒドロキシ−３，３′−ジメチルジフェニルスルホンのようなジヒドロキシジアリールスルホン類等が挙げられる。
【００１７】
これらは単独または２種類以上混合して使用されるが、これらの他に、ピペラジン、ジピペリジルハイドロキノン、レゾルシン、４，４′−ジヒドロキシジフェニル等を混合して使用してもよい。
【００１８】
さらに、上記のジヒドロキシアリール化合物と以下に示すような３価以上のフェノール化合物を混合使用してもよい。３価以上のフェノールとしてはフロログルシン、４，６−ジメチル−２，４，６−トリ−（４−ヒドロキシフェニル）−ヘプテン、２，４，６−ジメチル−２，４，６−トリ−（４−ヒドロキシフェニル）−ヘプタン、１，３，５−トリ−（４−ヒドロキシフェニル）−ベンゾール、１，１，１−トリ−（４−ヒドロキシフェニル）−エタンおよび２，２−ビス−〔４，４−（４，４′−ジヒドロキシジフェニル）−シクロヘキシル〕−プロパンなどが挙げられる。
【００１９】
ポリカーボネート樹脂（Ａ）の粘度平均分子量には特に制限はないが、成形加工性、強度の面より通常１００００〜１０００００、より好ましくは１５０００〜３００００、さらに好ましくは１７０００〜２６０００の範囲である。また、かかるポリカーボネート樹脂を製造するに際し、分子量調整剤、触媒等を必要に応じて使用することができる。
【００２０】
本発明にて使用される流動性向上剤（Ｂ）とは、芳香族ビニル系単量体とフェニルメタクリレートとの共重合体である。芳香族ビニル系単量体としては、スチレン、αメチルスチレン、ｐ−ｔｅｒｔ．ブチルスチレンなどが挙げられ、これらは単独もしくは２種以上で使用することができる。好ましい流動性向上剤（Ｂ）としては、スチレン／フェニルメタクリレート共重合体またはスチレン／αメチルスチレン／フェニルメタクリレート共重合体が挙げられる。
【００２１】
また、流動性向上剤（Ｂ）の重合方法は、乳化重合、懸濁重合、塊状重合が挙げられ、特に乳化重合が好ましく用いられる。
【００２２】
流動性向上剤（Ｂ）は、商業的に入手可能であり、三菱レイヨン社のメタブレンＴＰ００３が挙げられる。
【００２３】
流動性向上剤（Ｂ）の配合量は、ポリカーボネート樹脂（Ａ）１００重量部に対し、２〜１２重量部である。配合量が２重量部未満であると流動性の改善効果に劣り、配合量が１２重量部を越えると難燃性が低下するので好ましくない。より好ましくは３〜１０重量部、更に好ましくは４〜８重量部である。
【００２４】
本発明にて使用される酸化チタン（Ｃ）としては、塩素法または硫酸法のどちらで製造されたものでもよく、その結晶形態としては、ルチル型またはアナターゼ型のどちらであってもよい。また、酸化チタンの粒径は、０．１〜０．５μｍ程度のものが好適に使用できる。
【００２５】
酸化チタン（Ｃ）の配合量は、ポリカーボネート樹脂（Ａ）１００重量部に対し、５〜２５重量部である。配合量が５重量部未満では光反射性に劣り、２５重量部を超えると難燃性が悪化するので好ましくない。より好ましくは１０〜１５重量部である。
【００２６】
本発明にて使用されるシリコーン化合物（Ｄ）としては、下記一般式（１）に示されるような、主鎖が分岐構造でかつ有機官能基として、芳香族基を含有するか、または芳香族基と炭化水素基（芳香族基を除く）を含有するものである。
一般式（１）
【００２７】
【化１】
2009062500.tif 000002
【００２８】
上記一般式（１）において、Ｒ１、Ｒ２およびＲ３は主鎖に結合する有機官能基を表し、Ｘは末端基を表す。
【００２９】
すなわち、分岐単位としてＴ単位（ＲＳｉＯ１．５）および／またはＱ単位（ＳｉＯ２．０）を持つことを特徴とする。これらは全体のシロキサン単位（Ｒ３〜０ＳｉＯ２〜０．５）の２０モル％以上含有することが好ましい。（Ｒは有機官能基をあらわす。）また、本シリコーン化合物（Ｄ）は、末端基又は末端基以外の官能基として主鎖や分岐した側鎖に結合する有機官能基のうち芳香族基が２０モル％以上であることが好ましい。
【００３０】
この有機官能基として、芳香族基を必須に含有する。この芳香族基としては、フェニル、ビフェニル、ナフタレンまたはこれらの誘導体が好ましいが、フェニル基がより好ましい。
【００３１】
シリコーン化合物（Ｄ）中の有機官能基で、主鎖や分岐した側鎖に付いたもののうち芳香族基以外の有機基としては、炭素数４以下の炭化水素基が好ましく、メチル基が好適に使用できる。さらに、末端基はメチル基、フェニル基、水酸基の内から選ばれた１種またはこれらの２種から３種までの混合物であることが好ましい。
【００３２】
シリコーン化合物（Ｄ）の平均分子量（重量平均）は、好ましくは３０００〜５０００００であり、更に好ましくは５０００〜２７００００である。
【００３３】
シリコーン化合物（Ｄ）の配合量は、ポリカーボネート樹脂（Ａ）１００重量部あたり
０．０１〜３重量部である。配合量が当該範囲外においてはいずれの場合も難燃効果が不十分であるので好ましくない。より好ましくは０．０３〜１重量部である。
【００３４】
本発明にて使用される有機金属塩化合物（Ｅ）としては、芳香族スルホン酸の金属塩、パーフルオロアルカンスルホン酸の金属塩があげられる。金属の種類としては、アルカリ金属、アルカリ土類金属等が挙げられる。好適には、４−メチル−Ｎ−（４−メチルフェニル）スルフォニル−ベンゼンスルフォンアミドのカリウム塩、ジフェニルスルホン−３−スルホン酸カリウム、ジフェニルスルホン−３−３´−ジスルホン酸カリウム、パラトルエンスルホン酸ナトリウム、パーフルオロブタンスルホン酸カリウム塩等が使用できる。
【００３５】
有機金属塩化合物（Ｅ）の配合量は、ポリカーボネート樹脂（Ａ）１００重量部に対し、０．０１〜０．３重量部である。配合量が０．０１重量部未満では、難燃性が低下するので好ましくない。また、０．３重量部を超えると、機械的強度が低下するといった問題が発生するので好ましくない。好ましくは０．０２〜０．２重量部、より好ましくは０．０２〜０．１重量部である。
【００３６】
本発明にて使用される、繊維形成型の含フッ素ポリマー（Ｆ）としては、ポリカーボネート樹脂（Ａ）中で繊維構造（フィブリル状構造）を形成するものがよく、ポリテトラフルオロエチレン、テトラフルオロエチレン系共重合体（例えば、テトラフルオロエチレン／ヘキサフルオロプロピレン共重合体、等）、米国特許第４３７９９１０号に示される様な部分フッ素化ポリマー、フッ素化ジフェノールから製造されるポリカーボネート等が挙げられる。とりわけ、分子量１００００００以上で二次粒子径１００μｍ以上のフィブリル形成能を有するポリテトラフルオロエチレンが好適に使用される。
【００３７】
繊維形成型の含フッ素ポリマー（Ｆ）の配合量は、ポリカーボネート樹脂（Ａ）１００重量部に対し、０．０５〜５重量部である。配合量が０．０５重量部未満では、燃焼時のドリッピング防止効果に劣るので好ましくない。また、５重量部を超えると造粒が困難となることから安定生産に支障をきたすので好ましくない。この配合量は、好ましくは、０．０５〜１重量部、より好ましくは０．１〜０．５重量部の範囲である。この範囲では、難燃性、成形性のバランスが一層良好となる。
【００３８】
本発明の各種配合成分（Ａ）〜（Ｆ）の配合方法には特に制限はなく、任意の混合機、例えばタンブラー、リボンブレンダー、高速ミキサー等によりこれらを混合し、通常の一軸または二軸押出機等で容易に溶融混練することができる。また、これらの配合順序についても特に制限はない。
【００３９】
また、混合時、必要に応じて他の公知の添加剤、例えば離型剤、紫外線吸収剤、充填剤、帯電防止剤、酸化防止剤、リン系熱安定剤、染顔料、添着剤（エポキシ大豆油、流動パラフィン等）等を配合することができる。
【００４０】
充填剤としては、例えばガラス繊維、ガラスビーズ、ガラスフレーク、炭素繊維、タルク粉、クレー粉、マイカ、チタン酸カリウムウィスカー、ホウ酸アルミウィスカー、ワラストナイト粉、シリカ粉等が挙げられる。
【実施例】
【００４１】
以下に本発明を実施例により具体的に説明するが、本発明はこれら実施例により何ら制限されるものではない。なお、特に断りのない限り重量基準に基づく。
【００４２】
使用した配合成分の詳細は、以下のとおりである。
ポリカーボネート樹脂：
住友ダウ社製  カリバー２００−２０（粘度平均分子量：１９０００）
（以下、ＰＣと略記）
流動性向上剤：
スチレン／フェニルメタクリレート共重合体
三菱レイヨン社製  ＴＰ００３（以下、流動性向上剤と略記）
酸化チタン：
Ｋｒｏｎｏｓ社製二酸化チタン２２３０（以下、ＴｉＯ2と略記。）
【００４３】
シリコーン化合物：
シリコーン化合物は、一般的な製造方法に従って製造した。すなわち、適量のジオルガノジクロロシラン、モノオルガノトリクロシランおよびテトラクロロシラン、あるいはそれらの部分加水分解縮合物を有機溶剤中に溶解し、水を添加して加水分解して、部分的に縮合したシリコーン化合物を形成し、さらにトリオルガノクロロシランを添加して反応させることによって重合を終了させ、その後、溶媒を蒸留等で分離した。上記方法で合成したシリコーン化合物の構造特性は、以下のとおり：
・主鎖構造のＤ／Ｔ／Ｑ単位の比率：４０／６０／０（モル比）
・全有機官能基中のフェニル基の比率（＊）：６０モル％
・末端基：メチル基のみ
・重量平均分子量（＊＊）：１５０００
＊：フェニル基は、Ｔ単位を含むシリコーン中ではＴ単位にまず含まれ、残った場合がＤ単位に含まれる。Ｄ単位にフェニル基が付く場合、１個付くものが優先し、さらにフェニル基が残余する場合に２個付く。末端基を除き、有機官能基は、フェニル基以外は全てメチル基である。
＊＊：重量平均分子量は、有効数字２桁。
【００４４】
有機金属塩化合物：
パラトルエンスルホン酸ナトリウム（以下、金属塩と略記）
繊維形成型の含フッ素ポリマー：
ダイキン工業社製ネオフロンＦＡ５００（ポリテトラフルオロエチレン）
（以下、ＰＴＦＥと略記）
【００４５】
前述の各種原料を表３〜４に示す配合比率にて一括してタンブラーに投入し、１０分間乾式混合した後、二軸押出機（神戸製鋼所製ＫＴＸ３７）を用いて、溶融温度２８０℃にて混練し、ポリカーボネート樹脂組成物のペレットを得た。得られたペレットから、射出成形機（日本製鋼所製Ｊ１００Ｅ−Ｃ５）を用いて各種試験片を加工し、下記方法により各種データーを採取した。
【００４６】
（１）流動性
溶融温度２８０℃、射出圧力１６００ｋｇ／ｃｍ２の条件下、アルキメデススパイラルフロー金型を使用して、流路厚み１ｍｍでの流動長さを測定した。流動長さが１４０ｍｍ以上を合格とした。
【００４７】
（２）耐熱性（荷重たわみ温度：ＨＤＴ）
溶融温度２８０℃の条件下、耐熱性試験用試験片を加工し、ＡＳＴＭ  Ｄ６４８に準拠し、荷重たわみ温度（ＨＤＴ）を測定した。ファイバーストレスは１８．５Ｋｇ／ｃｍ２に設定し、測定用試験片のアニール処理は行わなかった。試験片の厚みは６．４ｍｍである。
【００４８】
（３）難燃性
得られた各種ペレットを１２５℃で４時間乾燥した後に、射出成型機（日本製鋼所製Ｊ１００Ｅ−Ｃ５）を用いて２４５℃、射出圧力１６００ｋｇ／ｃｍ２にて難燃性評価用試験片（１２５ｘ１３ｘ１．６ｍｍ）を成型した。得られた試験片を温度２３℃、湿度５０％の恒温室の中で７２時間放置し、アンダーライターズ・ラボラトリーズが定めているＵＬ９４・Ｖ試験（機器の部品用プラスチック材料の燃焼性試験）に準拠した難燃性の評価を行った。ＵＬ９４・Ｖによるクラスを表１に示す。
【００４９】
【表１】
2009062500.tif 000003
【００５０】
残炎時間とは、着火源を遠ざけた後の試験片が、有炎燃焼を続ける時間の長さであり、ドリップによる綿の着火とは、試験片の下端から約３００ｍｍ下にある標識用の綿が、試験片からの滴下（ドリップ）物によって着火されるかどうかによって決定される。Ｖ−０以上を合格とした。
【００５１】
（４）光反射性
得られたペレットを１２０℃で４時間乾燥後、射出成形機（日本製鋼所製Ｊ１００Ｅ−Ｃ５）を用いて２８０℃、射出圧力１６００Ｋｇ／ｃｍ２の条件下、長さ３０ｍｍ、幅４０ｍｍのプレート（厚み１ｍｍ）状試験片を作成し、波長４００〜８００ｎｍにおけるＹ値を分光光度計（村上色彩技術研究所ＣＭＳ−３５ＳＰ）により測定した。Ｙ値が９０％以上となるものを合格とした。
【００５２】
【表２】
2009062500.tif 000004
【００５３】
【表３】
2009062500.tif 000005
＊ＮＲ：Ｎｏ  Ｒａｔｉｎｇの略。Ｖ−０、Ｖ−１、Ｖ−２に属さない。
【００５４】
表２のとおり、ポリカーボネート樹脂組成物が本発明の構成要件を満足する場合（実施例１〜６）にあっては、全ての評価項目にわたり良好な結果を示した。
【００５５】
一方、表３で示したとおり、ポリカーボネート樹脂組成物が本発明の構成要件を満足しない場合においては、いずれの場合も何らかの欠点を有していた。
比較例１は、流動性向上剤が規定量よりも少ない場合であり、流動性に劣っていた。
比較例２は、シリコーン化合物の配合量が規定量よりも少ない場合であり、難燃性に劣っていた。
比較例３は、シリコーン化合物が規定量よりも多い場合であり、難燃性に劣っていた。
比較例４は、金属塩の配合量が規定量よりも少ない場合であり、難燃性に劣っていた。
比較例５は、ＰＴＦＥが規定量よりも多い場合であり、難燃性に劣っていた。
比較例６は、流動性向上剤が規定量よりも多い場合であり、難燃性に劣り、かつ耐熱性も低下した。
比較例７は、酸化チタンが規定量よりも少ない場合であり、光反射性に劣っていた。
比較例８は、酸化チタンが規定量よりも多い場合であり、難燃性に劣っていた。